(57)【要約】【課題】インキリボンとサーマルヘッドを用いる熱転写印刷における偽造防止として、目視での確認を難しくし、セキュリティ性を向上させるため、グラビア版では解像できない、点もしくは線形状からなる文字またはパターンを可変情報としてリボン上に形成する事が求められている。【解決手段】予め前記赤外線吸収インクリボンに目視では確認し辛いマイクロ文字等をレーザーで印字形成するか、可視領域では判別できない様に赤外領域には吸収の無いインキリボンを用いて形成された黒色画像を下地とするか或いは隠蔽することによりさらにセキュリティ性を持たせるか、さらには転写フィルムに画像形成させた後、受像層とともに被印刷体上に転写することにより、印刷画像上に受像層に形成され改竄を防止する。【選択図】図２
2011152652.tif 000002
【特許請求の範囲】
【請求項１】
基材上にインキが塗布されたインキリボンに対し画像情報に基づいた位置を加熱し、画像情報を熱転写印刷するプリント方法において、前記熱転写印刷の前に、前記インキリボンのインキに、赤外線レーザーを用いて、点もしくは線形状にインキを印字蒸発させ、その後に熱転写印刷することを特徴とするキュリティプリント方法。
【請求項２】
基材上にカーボンインキと、シアン、マゼンタ、イエローのインキがパートコートされたインキリボンに対し画像情報に基づいた位置を加熱して、画像情報を熱転写印刷するプリント方法において、前記熱転写印刷の前に、前記インキリボンのカーボンインキに、赤外線レーザーを用いて、点もしくは線形状にインキを印字蒸発させ、その後の熱転写印刷工程において熱転写印刷されたカーボンインキの印刷部と重なるようにシアン、マゼンタ、イエローのインキから成る黒色部分、およびシアン、マゼンタ、イエローのインキから成る画像を熱転写印刷することを特徴とするキュリティプリント方法。
【請求項３】
基材上にカーボンインキと、シアン、マゼンタ、イエローのインキがパートコートされたインキリボンに対し画像情報に基づいた位置を加熱して画像情報を熱転写印刷するプリント方法において、前記熱転写印刷の前に、前記インキリボンのカーボンインキ部に赤外線レーザーを用いて、点もしくは線形状の形状にインキを印字蒸発させておき、その後の熱転写印刷工程においてシアン、マゼンタ、イエローのインキから成る画像および、シアン、マゼンタ、イエローのインキから成る黒色部を熱転写印刷し、その後黒色部カーボンインキの印刷部が重なるように、熱転写印刷することを特徴とするキュリティプリント方法。
【請求項４】
基材上にインキが塗布されたインキリボンに対し、画像情報に基づいた位置を加熱して、薄膜フィルム状受像層が積層形成された転写フィルム上に画像情報を熱転写印刷し、その後ヒートローラーの加熱圧着により、前記受像層とともに画像情報を、被転写媒体に転写を行うプリント方法において、前記熱転写印刷の前に、前記インキリボンのインキに、赤外線レーザーを用いて、点もしくは線形状にインキを印字蒸発させ、その後熱転写画像を受像層とともに被転写媒体上に加熱圧着により熱転写印刷して画像形成することを特徴とするキュリティプリント方法。
【請求項５】
基材上にカーボンインキと、シアン、マゼンタ、イエローのインキがパートコートされたインキリボンに対し、画像情報に基づいた位置を加熱して、薄膜フィルム状受像層が積層形成された転写フィルム上に熱転写印刷し、その後に被転写媒体に前記受像層とともに画像情報を転写を行うプリント方法において、前記熱転写印刷の前に、前記インキリボンのカーボンインキ分に赤外線レーザーを用いて、点もしくは線形状の形状にインキを印字蒸発させておき、その後の熱転写印刷工程において転写画像のカーボンの印刷部と重なるように、シアン、マゼンタ、イエローのインキから成る黒色部、およびシアン、マゼンタ、イエローのインキから成る画像を熱転写印刷し、その後熱転写画像を被転写媒体上に加熱圧着により転写して画像形成することを特徴とするキュリティプリント方法。
【請求項６】
基材上にカーボンインキと、シアン、マゼンタ、イエローのインキがパートコートされたインキリボンに対し画像情報に基づいた位置をサーマルヘッドを用い加熱して薄膜フィルム状受像層が積層形成された転写フィルム上に熱転写印刷し、その後に被転写媒体に前記受像層とともに画像情報を転写を行うプリント方法において、前記熱転写印刷の前に、前記インキリボンのカーボンインキに赤外線レーザーを用いて、点もしくは線形状の形状にインキを印字蒸発させておき、その後の熱転写印刷工程においてシアン、マゼンタ、イエローのインキから成る画像及びシアン、マゼンタ、イエローのインキから成る転写画像の黒色部がカーボンインキの印刷部と重なるように熱転写印刷し、その後被転写媒体上に
加熱圧着により転写して画像形成することを特徴とするキュリティプリント方法。
【請求項７】
基材上にインキが塗布されたインキリボンを供給する供給手段と、インキ部分に、点もしくは線形状にインキを印字蒸発させる赤外線レーザーと、画像情報に基づいた位置を加熱して熱転写印刷を行うサーマルヘッド備えた熱転写印刷手段とを、有することを特徴とするキュリティプリンタ。
【請求項８】
基材上にカーボンインキと、シアン、マゼンタ、イエローのインキがパートコートされたインキリボンを供給する供給手段と、カーボンインキ部分に、点もしくは線形状にインキを印字蒸発させる赤外線レーザーと、画像情報に基づいた位置を加熱してカーボンインキからなる画像形成とカーボンインキの画像と重なるようにシアン、マゼンタ、イエローのからなる黒色画像、およびシアン、マゼンタ、イエローのインキから成る画像の形成行うサーマルヘッド備えた熱転写印刷手段とを、有することを特徴とするキュリティプリンタ。
【請求項９】
基材上にカーボンインキと、シアン、マゼンタ、イエローのインキがパートコートされたインキリボンを供給する供給手段と、カーボンインキ部分に、点もしくは線形状の形状にインキを印字蒸発させる赤外線レーザーと、画像情報に基づいた位置を加熱してシアン、マゼンタ、イエローのインキからなる画像形成と、シアン、マゼンタ、イエローからなる黒色画像と重なるように前記インキリボンのカーボンインキから成る画像形成を行うサーマルヘッド備えた熱転写印刷手段とを、有することことを特徴とするキュリティプリンタ。
【請求項１０】
基材上にインキが塗布されたインキリボンを供給する供給手段と、インキリボンのカーボンインキに、点もしくは線形状の形状にインキを印字蒸発させる赤外線レーザーと、薄膜フィルム状受像層が積層形成された転写フィルム上に画像情報に基づいた位置を加熱して熱転写印刷を行うサーマルヘッド備えた熱転写印刷手段と、転写フィルムの供給手段と、熱転写画像を受像層とともに被転写媒体上に転写して画像形成するヒートローラーと圧着台を備えた転写手段とを、有することを特徴とするキュリティプリンタ。
【請求項１１】
基材上にカーボンインキと、シアン、マゼンタ、イエローのインキがパートコートされたインキリボンを供給する供給手段と、インキリボンのカーボンインキに、点もしくは線形状の形状にインキを印字蒸発させる赤外線レーザーと、薄膜フィルム状受像層が積層形成された転写フィルム上に画像情報に基づいた位置を加熱してカーボンインキからなる画像形成とカーボンインキ画像と重なる様にシアン、マゼンタ、イエローのからなる黒色画像およびシアン、マゼンタ、イエローのインキから成る画像形成行うサーマルヘッド備えた熱転写印刷手段と、転写フィルムの供給手段と、熱転写画像を受像層とともに被転写媒体上に転写して画像形成するヒートローラーと圧着台を備えた転写手段とを、有することを特徴とするキュリティプリンタ。
【請求項１２】
基材上にカーボンインキと、シアン、マゼンタ、イエローのインキがパートコートされたインキリボンを供給する供給手段と、インキリボンのカーボンインキに、点もしくは線形状の形状にインキを印字蒸発させる赤外線レーザーと、薄膜フィルム状受像層が積層形成された転写フィルム上に画像情報に基づいた位置を加熱してシアン、マゼンタ、イエローのインキからなる画像形成とシアン、マゼンタ、イエローのからなる黒色画像と重なるようにカーボンインキを加熱して画像形成行うサーマルヘッド備えた熱転写印刷手段と、転写フィルムの供給手段と、熱転写画像を受像層とともに被転写媒体上に転写して画像形成するヒートローラーと圧着台を備えた転写手段とを、有することを特徴とするキュリティプリンタ。
【請求項１３】
前記赤外線レーザーがＹＡＧレーザーもしくはＹＶＯ４レーザーであることを特徴とする請求項７から１２のいずれかに記載のキュリティプリンタ。
【発明の詳細な説明】
【技術分野】
【０００１】
本発明は、カードやパスポートへの顔写真等の画像形成に使用されているインキリボンとサーマルヘッドを用いる熱転写印刷方法及び装置にかかわり、偽造や変造を防止するセキュリティプリント方法及びセキュリティプリンタに係わる。
【背景技術】
【０００２】
カードやパスポートに対しては、その使用用途の為、多くの変造防止技術が盛り込まれている。熱転写印刷装置においては、被転写体に直接転写印刷するのではなく、中間転写媒体に熱転写することにより画像を形成し、その後中間転写媒体に形成された画像を加熱加圧することで被転写体に転写し、転写画像が表面にではなく中間転写媒体越に形成されるため、偽造し辛くなっている（特許文献１）。
【０００３】
熱転写リボンを用いて熱転写させるプリント方式において、第１の特殊インキを用いてプリントされた第１のプリントパターンデータと、第２の特殊インキを用いてプリントされた第２のプリントパターンデータとを、一部が重なり合う様にプリントさせた後、互いに異なる波長の識別波を用いて識別する提案がなされている。印字はサーマルヘッドによりなされるため微細な印字とすることは出来ない。また特殊インキを用いるため、煩雑であり高価となっているしまう（特許文献２）。
【０００４】
カードやパスポートといった証券類の偽造や変造を防止する手段としてマイクロ文字等の微細情報が用いられており、熱転写印刷における偽造防止法としても検討される。
【０００５】
インキリボンは基材フィルム上にグラビア印刷法にてシアン、マゼンタ、イエロー、及びブラックのインキ塗液を長手方向に面順次に繰り返しパートコートされており、微細な白抜き文字などを印刷塗工する事は可能であが、グラビア版は解像度が悪く、偽造を防止となる様な微細化までは至っていない。また、グラビア印刷法では、印刷版を用いる為固定情報のみであり可変情報の印刷は出来ない。
【先行技術文献】
【特許文献】
【０００６】
【特許文献１】特開平１１−７７９５９号公報
【特許文献２】特開２００５−１４９４１７号公報
【発明の概要】
【発明が解決しようとする課題】
【０００７】
偽造防止として、目視での確認が難しくし、セキュリティ性を向上させる従来技術であるグラビア方式では解像できない、点もしくは線形状パターンや可変情報文字が形成されたリボンとサーマルヘッド用いる熱転写印刷するプリント方法及びプリンタを提供する。
【課題を解決するための手段】
【０００８】
上記の課題を解決するための手段として、予め前記赤外線吸収インクリボンに目視では確認し辛いマイクロ文字等をレーザーで印字形成するか、可視領域では判別できない様に赤外領域には吸収の無いインキリボンを用いて形成された黒色画像を下地とするか或いは隠蔽することによりさらにセキュリティ性を持たせるか、さらには転写フィルムに画像形成させた後、受像層とともに被印刷体上に転写することにより、印刷画像上に受像層に形成され改竄を防止することである。
【０００９】
請求項１に記載の発明は、基材上にインキが塗布されたインキリボンに対し画像情報に基づいた位置を加熱し、画像情報を熱転写印刷するプリント方法において、前記熱転写印刷の前に、前記インキリボンのインキに、赤外線レーザーを用いて、点もしくは線形状にインキを印字蒸発させ、その後に熱転写印刷することを特徴とするキュリティプリント方法である。
【００１０】
また、請求項２に記載の発明は、基材上にカーボンインキと、シアン、マゼンタ、イエローのインキがパートコートされたインキリボンに対し画像情報に基づいた位置を加熱して、画像情報を熱転写印刷するプリント方法において、前記熱転写印刷の前に、前記インキリボンのカーボンインキに、赤外線レーザーを用いて、点もしくは線形状にインキを印字蒸発させ、その後の熱転写印刷工程において熱転写印刷されたカーボンインキの印刷部と重なるようにシアン、マゼンタ、イエローのインキから成る黒色部分、およびシアン、マゼンタ、イエローのインキから成る画像を熱転写印刷することを特徴とするキュリティプリント方法である。
【００１１】
また、請求項３に記載の発明は、基材上にカーボンインキと、シアン、マゼンタ、イエローのインキがパートコートされたインキリボンに対し画像情報に基づいた位置を加熱して画像情報を熱転写印刷するプリント方法において、前記熱転写印刷の前に、前記インキリボンのカーボンインキ部に赤外線レーザーを用いて、点もしくは線形状の形状にインキを印字蒸発させておき、その後の熱転写印刷工程においてシアン、マゼンタ、イエローのインキから成る画像および、シアン、マゼンタ、イエローのインキから成る黒色部を熱転写印刷し、その後黒色部カーボンインキの印刷部が重なるように、熱転写印刷することを特徴とするキュリティプリント方法である。
【００１２】
また、請求項４に記載の発明は、基材上にインキが塗布されたインキリボンに対し、画像情報に基づいた位置を加熱して、薄膜フィルム状受像層が積層形成された転写フィルム上に画像情報を熱転写印刷し、その後ヒートローラーの加熱圧着により、前記受像層とともに画像情報を、被転写媒体に転写を行うプリント方法において、前記熱転写印刷の前に、前記インキリボンのインキに、赤外線レーザーを用いて、点もしくは線形状にインキを印字蒸発させ、その後熱転写画像を受像層とともに被転写媒体上に加熱圧着により熱転写印刷して画像形成することを特徴とするキュリティプリント方法である。
【００１３】
また、請求項５に記載の発明は、基材上にカーボンインキと、シアン、マゼンタ、イエローのインキがパートコートされたインキリボンに対し、画像情報に基づいた位置を加熱して、薄膜フィルム状受像層が積層形成された転写フィルム上に熱転写印刷し、その後に被転写媒体に前記受像層とともに画像情報を転写を行うプリント方法において、前記熱転写印刷の前に、前記インキリボンのカーボンインキ分に赤外線レーザーを用いて、点もしくは線形状の形状にインキを印字蒸発させておき、その後の熱転写印刷工程において転写画像のカーボンの印刷部と重なるように、シアン、マゼンタ、イエローのインキから成る黒色部、およびシアン、マゼンタ、イエローのインキから成る画像を熱転写印刷し、その後熱転写画像を被転写媒体上に加熱圧着により転写して画像形成することを特徴とするキュリティプリント方法である。
【００１４】
また、請求項６に記載の発明は、基材上にカーボンインキと、シアン、マゼンタ、イエローのインキがパートコートされたインキリボンに対し画像情報に基づいた位置をサーマルヘッドを用い加熱して薄膜フィルム状受像層が積層形成された転写フィルム上に熱転写印刷し、その後に被転写媒体に前記受像層とともに画像情報を転写を行うプリント方法において、前記熱転写印刷の前に、前記インキリボンのカーボンインキに赤外線レーザーを用いて、点もしくは線形状の形状にインキを印字蒸発させておき、その後の熱転写印刷工程においてシアン、マゼンタ、イエローのインキから成る画像及びシアン、マゼンタ、イ
エローのインキから成る転写画像の黒色部がカーボンインキの印刷部と重なるように熱転写印刷し、その後被転写媒体上に加熱圧着により転写して画像形成することを特徴とするキュリティプリント方法である。
【００１５】
また、請求項７に記載の発明は、基材上にインキが塗布されたインキリボンを供給する供給手段と、インキ部分に、点もしくは線形状にインキを印字蒸発させる赤外線レーザーと、画像情報に基づいた位置を加熱して熱転写印刷を行うサーマルヘッド備えた熱転写印刷手段とを、有することを特徴とするキュリティプリンタである。
【００１６】
また、請求項８に記載の発明は、基材上にカーボンインキと、シアン、マゼンタ、イエローのインキがパートコートされたインキリボンを供給する供給手段と、カーボンインキ部分に、点もしくは線形状にインキを印字蒸発させる赤外線レーザーと、画像情報に基づいた位置を加熱してカーボンインキからなる画像形成とカーボンインキの画像と重なるようにシアン、マゼンタ、イエローのからなる黒色画像、およびシアン、マゼンタ、イエローのインキから成る画像の形成行うサーマルヘッド備えた熱転写印刷手段とを、有することを特徴とするキュリティプリンタである。
【００１７】
また、請求項９に記載の発明は、基材上にカーボンインキと、シアン、マゼンタ、イエローのインキがパートコートされたインキリボンを供給する供給手段と、カーボンインキ部分に、点もしくは線形状の形状にインキを印字蒸発させる赤外線レーザーと、画像情報に基づいた位置を加熱してシアン、マゼンタ、イエローのインキからなる画像形成と、シアン、マゼンタ、イエローからなる黒色画像と重なるように前記インキリボンのカーボンインキから成る画像形成を行うサーマルヘッド備えた熱転写印刷手段とを、有することことを特徴とするキュリティプリンタである。
【００１８】
また、請求項１０に記載の発明は、基材上にインキが塗布されたインキリボンを供給する供給手段と、インキリボンのカーボンインキに、点もしくは線形状の形状にインキを印字蒸発させる赤外線レーザーと、薄膜フィルム状受像層が積層形成された転写フィルム上に画像情報に基づいた位置を加熱して熱転写印刷を行うサーマルヘッド備えた熱転写印刷手段と、転写フィルムの供給手段と、熱転写画像を受像層とともに被転写媒体上に転写して画像形成するヒートローラーと圧着台を備えた転写手段とを、有することを特徴とするキュリティプリンタである。
【００１９】
また、請求項１１に記載の発明は、基材上にインキが塗布されたインキリボンを供給する供給手段と、インキリボンのカーボンインキに、点もしくは線形状の形状にインキを印字蒸発させる赤外線レーザーと、薄膜フィルム状受像層が積層形成された転写フィルム上に画像情報に基づいた位置を加熱して熱転写印刷を行うサーマルヘッド備えた熱転写印刷手段と、転写フィルムの供給手段と、熱転写画像を受像層とともに被転写媒体上に転写して画像形成するヒートローラーと圧着台を備えた転写手段とを、有することを特徴とするキュリティプリンタである。
【００２０】
また、請求項１２に記載の発明は、基材上にカーボンインキと、シアン、マゼンタ、イエローのインキがパートコートされたインキリボンを供給する供給手段と、インキリボンのカーボンインキに、点もしくは線形状の形状にインキを印字蒸発させる赤外線レーザーと、薄膜フィルム状受像層が積層形成された転写フィルム上に画像情報に基づいた位置を加熱してシアン、マゼンタ、イエローのインキからなる画像形成とシアン、マゼンタ、イエローのからなる黒色画像と重なるようにカーボンインキを加熱して画像形成行うサーマルヘッド備えた熱転写印刷手段と、転写フィルムの供給手段と、熱転写画像を受像層とともに被転写媒体上に転写して画像形成するヒートローラーと圧着台を備えた転写手段とを、有することを特徴とするキュリティプリンタである。
【００２１】
また、請求項１３に記載の発明は、前記赤外線レーザーがＹＡＧレーザーもしくはＹＶＯ４レーザーあることを特徴とする請求項７から１２のいずれかに記載のキュリティプリンタである。
【発明の効果】
【００２２】
偽造や変造防止が必要なカードやパスポートへの顔写真等の画像形成に用いられているインキリボンとサーマルヘッドを用いる熱転写印刷法に於いて、従来不可能で有った微細な点や線、マイクロ文字等のセキュリティ性をの付与となる印字情報をレーザー光を用いることによって印刷出来る様にし、更にシアン、マゼンタ、イエローのインキにより印字情報を隠蔽することが出来る。また熱転写印刷の前に印字情報を印刷できるため媒体毎の固有情報の印刷も可能となるため、更なるセキュリティ性の向上が図れるセキュリティプリント方法、キュリティプリンタを提供出来た。
【図面の簡単な説明】
【００２３】
【図１】本発明に係るセキュリティプリント方法及びセキュリティプリンタの実施形態の例を説明した概略図
【図２】本発明に係る熱転写画像を受像層（１７）とともに被印刷体（５）上に転写して画像形成するセキュリティプリント方法及びセキュリティプリンタの実施形態の例を説明した概略図
【図３】本発明に係るカーボンインキ（１３）と、シアン（１０）、マゼンタ（１１）、イエロー（１２）のインキがパートコートされたインキリボン（２）の実施形態の例を説明した概略図
【図４】本発明に係るシアン、マゼンタ、イエローのインキからなる画像を熱転写印刷させた黒色部上に赤外線レーザー（１）による印字蒸発部（１６）を形成したカーボンインキを熱転写印刷させた実施形態の例を説明した概略図
【図５】本発明に係る赤外線レーザー（１）による印字蒸発部（１６）を形成したカーボンインキ（１３）を熱転写印刷した上にシアン、マゼンタ、イエローのインキからなる画像の黒色部を熱転写印刷させた実施形態の例を説明した概略図
【図６】本発明に係る薄膜フィルム状受像層（１７）が積層形成された転写フィルム上にシアン、マゼンタ、イエローのインキからなる画像を熱転写印刷させた黒色部上に赤外線レーザー（１）による印字蒸発部（１６）を形成したカーボンインキ（１３）を熱転写印刷させた実施形態の例を説明した概略図
【図７】本発明に係る薄膜フィルム状受像層（１７）が積層形成された転写フィルム（４）上に赤外線レーザー（１）による印字蒸発部（１６）を形成したカーボンインキ（１３）を熱転写印刷した上にシアン（１０）、マゼンタ（１１）、イエロー（１２）のインキからなる画像の黒色部を熱転写印刷させた実施形態の例を説明した概略図
【図８】本発明に係るカーボンインキ、シアン、マゼンタ、イエローの各インキの可視領域（１４）、赤外領域（１５）の反射率を示した概念図
【図９】本発明に係るカーボンインキと、シアン、マゼンタ、イエローのインキからなる黒色部の可視領域（１４）、赤外領域（１５）の吸収特性を示した概念図
【図１０】本発明に係るカーボンインキ（１３）が塗布されたインキリボン（２）に赤外レーザー（１）を用いて線幅３０μｍ、文字高さ２５０μｍのマイクロ文字を印字蒸発させた写真
【図１１】本発明に係る赤外レーザーを用いて線幅３０μｍ、文字高さ２５０μｍのマイクロ文字を印字蒸発させたカーボンインキ（１３）が塗布されたインキリボン（２）を用いて字高さ２５００μｍの文字をサーマルヘッド（３）により印字した写真
【発明を実施するための形態】
【００２４】
本発明に係るセキュリティプリント方法及びセキュリティプリンタを図面に基づき説明
する。図１はセキュリティプリント方法及びセキュリティプリンタを説明した概略図であり、巻き出しリール（８）から供給され巻き取りリール（９）に収納されるロール状のインキリボン（２）に対し、赤外線レーザー（１）により、微細パターンを照射しインキ部を印字蒸発させた後に画像情報に基づいた位置をサーマルヘッド（３）により加熱し、画像情報を被転写体（５）に熱転写印刷する方法と装置を示している。
【００２５】
図２は巻き出しリール（８）から供給され巻き取りリール（９）に収納されるロール状のインキリボン（２）に対し、赤外線レーザー（１）により、微細パターンを照射しインキ部を印字蒸発させた後に画像情報に基づいた位置をサーマルヘッド（３）により加熱し、画像情報を、受像層（１７）が積層形成された転写フィルム（４）上に熱転写印刷を行い、熱転写画像をヒートロール（６）により加熱圧着により受像層（１７）とともに被転写媒体（７）上に転写する方法と装置を示している。
【００２６】
赤外線レーザー１により点もしくは線形状パターンや可変情報を照射し、インキ部を印字蒸発させる工程は、画像情報の熱転写印刷の直前であれば、被転写体５や被転写媒体７それぞれの個別情報に対応する情報を印字することが容易であるが、インキリボン製造時に点もしくは線形状パターンや可変情報を印字する事も可能であり、インキリボンにセキュリティを持たせる事が出来る。
【００２７】
図３はロール状のインキリボン（２）の一例を示しており、シアン（１０）、マゼンタ（１１）、イエロー（１２）、及びブラック（１３）のインキ塗液を長手方向に面順次に繰り返しパートコートされている。
【００２８】
リボン基材は熱転写印刷時における熱圧で軟化変形しない耐熱性と強度に優れたものが用いられる。具体的にはポリエテイレンテレフタレート、ポリエチレンナフタレート、ポリプロピレン、セロファン、アセテート、ポリカーボネート、ポリサルフォン、ポリイミド、ポリビニルアルコール、芳香族ポリアミド、アラミド、ポリスチレン等からなる合成樹脂製フィルムを単独でまたは組み合わせて使用することができる。
【００２９】
熱転写印刷ではサーマルヘッド（３）を加熱手段として用いられることが多いが、サーマルヘッド（３）が融着しない様にインキ塗工面とは逆側に耐熱滑性層を設けても良く、ロール状にした時にインキのブロッキングの防止層としても機能する。
【００３０】
インキはシアン、マゼンタ、イエロー、ブラックそれぞれの色相を呈する顔料、染料からなる色材を任意のバインダー樹脂で担持されており、バインダーとしてはエチルセルロース、ヒドロキシエチルセルロース、エチルヒドロキシセルロース、ヒドロキシプロピルセルロース、メチルセルロース、酢酸セルロース等のセルロース系樹脂やポリビニルアルコール、ポリ酢酸ビニル、ポリビニルブチラール、ポリビニルピロリドン、ポリアクリルアミド等のビニル系樹脂やポリエステル樹脂、スチレンー悪利理路にトリル共重合樹脂、フェノキシ樹脂等が挙げられる。中でもポリビニルアセタール系、ポリビニルブチラール、スチレンーアクリルニトリル共重合樹脂、フェノキシ樹脂が好適に用いられる。
【００３１】
色材としては従来公知の顔料、染料を使用でき、例えばイエロー染料としてはアゾ系染料、ジスアゾ系染料、メチン系染料、スチリル系染料、ピリドン・アゾ系染料等を挙げることができる。また、マゼンタ染料としてはアゾ系染料、アントラキノン系染料、スチリル系染料、複素環系アゾ染料等が挙げられる。シアン系染料としてはインドアニリン系染料、アントラキノン系染料、ナフトキノン系染料、複素環系アゾ染料等であり、イエローとしては、カヤセットイエローＡＧ、カヤセットイエローＴＤＮ、ＰＹＴ５２、プラストイエロー８０４０、ホロンブリリアントイエローＳ６ＧＬＰＩ等、マゼンタ（としては、カヤセットレッドＢ、カヤセットレッド１３０、セレスレッド７Ｂ、マクロレックスレッ
ドバイオレットＲ等、シアンとしては、カヤセットブルー７１４、セレスブルーＧＮ、ＭＳブルー５０等、ブラックとしてはカーボンブラック等が例示できる。
【００３２】
色材とバインダー樹脂は有機溶剤とともに混練されインキ化され、必要により添加剤を加えることも出来る。
【００３３】
インキの塗布方法としては通常に薄膜形成に用いられるロールコーティング法、スクリーン印刷法、スプレー法、等の従来公知の方法を用いる事が可能であるが、長手方向に面順次に繰り返しパートコートする為には、グラビアコート法、スロットコート法といった塗り分け可能な形成方法が適している。
【００３４】
４０μｍ以下の幅の点、もしくは線形状の形状に顔料インキを印字蒸発させる赤外線レーザー（８）としては、ガスレーザー、半導体レーザー、ＹＡＧレーザーもしくはＹＶＯ４レーザーが使用でき、半導体レーザーでは８２０ｎｍ、ビーム径２００μｍ位下に絞り込むことができる。
【００３５】
ＹＡＧレーザーもしくはＹＶＯ４レーザーでは１０６４ｎｍ、ビーム径１０μｍ以下に絞り込む事が可能で、１０μｍの印字も可能となっている。カーボンインキ（１３）に吸収のある赤外光であれば１０６４ｎｍ以外での使用可能である。
【００３６】
図２に示した方法では、熱転写画像をヒートロール（６）による加熱圧着により受像層（１７）とともに被転写媒体（７）上に転写されるが、転写フィルム基材と受像層（１７）の間に剥離層（１８）を設けておくと被転写媒体（７）への転写が容易となる。
【００３７】
剥離層（１８）に用いられるバインダー樹脂としては、たとえば、ブチラール樹脂、ポリエステル樹脂、アクリル樹脂、ポリ塩化ビニル樹脂、塩化ビニル−酢酸ビニル共重合樹脂、エチレン−酢酸ビニル共重合樹脂、ポリアミド樹脂、スチレンーブタジエン共重合樹脂等の熱可塑性樹脂やこれらの架橋物、フェノール樹脂メラミン樹脂、不飽和ポリエステル樹脂、アルキド樹脂、ポリイミド樹脂、エポキシ樹脂等の熱硬化性樹脂から１種又は２種以上の混合体を適宜選択して使用することができる。
【００３８】
受像層（１７）に用いられる樹脂としては、サーマルヘッド等による熱により被転写媒体に接着させるため、Ｔｇ（ガラス転移温度）が５０〜１２０℃の熱可塑性樹脂が好ましい。Ｔｇが５０℃以下の場合、インキリボンの保存性が悪くなる他、印字後の画像の強度、耐性が弱く、画像汚れが発生しやすくなる。また、１２０℃以上であると通常の印字条件では印字することができず、印字するためにはサーマルヘッド（３）等の負荷が大きくなり好ましくない。このようなバインダー樹脂としては、ポリエステル樹脂、アクリル樹脂、エポキシ樹脂、ポリ塩化ビニル樹脂、塩化ビニル−酢酸ビニル共重合樹脂等の１種類以上を組み合わせて使用できる。また、転写後の機能に応じ、受像層中に、酸化チタン、炭酸カルシウム、フタロシアニンブルー、カーボンブラック、ベンガラ、オイルレッド、アルミニウム粉末、磁性粉末等を適宜添加することができる。添加量としては、１〜５０％が望ましい。また、転写画像の耐摩耗性、印字時の切れを向上させるために、ワックス、ポリエチレンフィラー、テフロン（登録商標）フィラー、ステアリン酸亜鉛等を添加しても良い。
【００３９】
図４は色材三原色であるシアン、マゼンタ、イエローのインキからなる画像をそれぞれ重なる様に熱転写印刷して形成した黒色部上に、赤外線レーザー（１）による印字蒸発部を形成したカーボンインキ（１３）を熱転写印刷させた実施形態の例を示す。
【００４０】
シアン、マゼンタ、イエローのインキからなる黒色画像が下地となるため、カーボンイ
ンキ（１３）に印字された赤外線レーザー（１）による微小印字蒸発部（１６）は更に認識し辛くなる。
【００４１】
図５は赤外線レーザー（１）による印字蒸発部（１６）を形成したカーボンインキ（１３）を熱転写印刷させた上に、色材３原色であるシアン、マゼンタ、イエローのインキから成る黒色部がカーボンの印刷部と重なるように熱転写印刷させた実施形態の例を示しており、カーボンインキ（１３）に印字された赤外線レーザー（１）による微小印字蒸発部（１６）は更に認識できない。
【００４２】
図６は受像層（１７）が積層形成された転写フィルム（４）上に色材三原色であるシアン、マゼンタ、イエローのインキからなる画像を熱転写印刷させた黒色部上に赤外線レーザーによる印字蒸発部（１６）を形成したカーボンインキを熱転写印刷させものである。
【００４３】
図７は図６で得られた転写フィルム（４）上の熱転写画像を受像層（１７）とともに被転写媒体（７）に転写した状態を示しており、転写されたインキ画像の上に受像層（１７）、剥離層（１８）が積層されているため傷防止や改竄防止にも寄与する。
【００４４】
図８は色材三原色である発明に係るカーボンインキと、シアン、マゼンタ、イエローのそれぞれの可視領域（１４）、赤外領域（１５）の反射率を示しており、カーボンインキは可視から赤外領域まで反射が無いが、一方シアン、マゼンタ、イエローのインキからなる可視領域（１４）においてはそれぞれの色に特有の反射特性を示すが赤外領域（１５）においてが同様の反射率を示すことがわかる。
【００４５】
図９は色材三原色である発明に係るカーボンインキと、シアン、マゼンタ、イエローのインキからなる黒色部の可視領域（１４）、赤外領域（１５）の吸収特性を示しており、カーボンインキは可視から赤外領域まで吸収が伸びている。一方シアン、マゼンタ、イエローのインキからなる黒色部は可視領域（１４）を吸収するが、赤外領域（１５）には吸収が無いことがわかる。
【実施例１】
【００４６】
図１０はカーボンインキ（１３）が塗布されたインキリボン（２）にＹＶＯ４レーザー１０６４nm、ビーム径１０μｍの赤外光を照射して線幅３０μｍ、文字高さ２５０μｍのマイクロ文字を印字蒸発させたものの写真であり、照射部のカーボンインキ（１３）が除去された印字蒸発部（１６）がある。
【００４７】
図１１はマイクロ文字が印字されたインキリボンを用い高さ２５００μｍの文字を印字したものを示すが文字の中に印字蒸発部（１６）からなるマイクロ文字が印字されおり、目視ではマイクロ文字は確認できない。マイクロ文字は虫眼鏡で確認出来真偽判定して使用できた。
【実施例２】
【００４８】
実施例１で作製した画像の上にシアン、マゼンタ、イエローのインキからなる画像を熱転写印刷させて隠蔽した。マイクロ文字は虫眼鏡を用いても確認出来ないが赤外線カメラを用い赤外領域で確認するとカーボンインキ部分は黒く、マイクロ文字は白く確認出来た。赤外線カメラを用い赤外領域で確認このものをカラーコピーしたものは黒色部分は黒く再現されるが、赤外カメラで見てもマイクロ文字は再現出来ないため真偽判定として使用できた。
【実施例３】
【００４９】
受像層が積層形成された転写フィルム（４）上に実施例２同様に作製した画像を熱転写
印刷させ、さらに受像層（１７）とともに被印刷媒体（７）上に転写した。マイクロ文字は虫眼鏡を用いても確認出来ず、赤外線カメラを用いることにより赤外領域で確認できた。カラーコピーしたものは赤外カメラで見てもマイクロ文字は再現出来ずコピーされたものと判断できた。また表面に受像層（１７）があり、インキがむき出しになっていないため、機械強度も向上し偽造をさらに難しくし、セキュリティ性が向上した。
【符号の説明】
【００５０】
１・・・赤外線レーザー
２・・・インキリボン
３・・・サーマルヘッド
４・・・転写フィルム
５・・・被転写体
６・・・ヒートローラー
７・・・被転写媒体
８・・・巻き出しリール
９・・・巻き取りリール
１０・・・シアンインキ
１１・・・マゼンタインキ
１２・・・イエローインキ
１３・・・ブラックインキ（カーボンクインキ）
１４・・・可視領域
１５・・・赤外領域
１６・・・赤外線レーザーによる印字蒸発部
１７・・・受像層
１８・・・剥離層
１９・・・転写フィルム巻き出しリール
２０・・・転写フィルム巻き取りリール
２１・・・圧着台
【図１】
2011152652.tif 000003
【図２】
2011152652.tif 000004
【図３】
2011152652.tif 000005
【図４】
2011152652.tif 000006
【図５】
2011152652.tif 000007
【図６】
2011152652.tif 000008
【図７】
2011152652.tif 000009
【図８】
2011152652.tif 000010
【図９】
2011152652.tif 000011
【図１０】
2011152652.tif 000012
【図１１】
2011152652.tif 000013